(57)【要約】【課題】  地球温暖化と共に生活環境も食物環境も目に余るものである。即ち、農薬、化学肥料、化学物質、防腐剤、殺虫剤などの減少は望めず、その努力も感じられない今日の情況にある。従って、京都議定書の盛り上がりも今や風前の灯と言われる所以である。【解決手段】  京都議定書以上の国際的な議定を作定して、化学物質の使用量の削減を図り、先進国が総力をあげて本気で実施しない限り地球は滅亡の一途にあると考えるのが肝要である。【選択図】  図１
2006068467.tif 000002
【特許請求の範囲】
【請求項１】
炭素繊維、導電布などの通電布の両端部に陰、陽の両電極を設けて印加（通電）すると、分極作用に起因する両電極に滞留電荷が生じる各電荷を誘引利用することを特徴とした分極による滞留電荷の利用方法
【請求項２】
電極を複数箇所に設けて分極作用の促進を図る請求項１の分極による滞留電荷の利用方法
【請求項３】
誘引電荷を各既成品及び新規製品にセット（印加）又は組み入れて各特徴を促進する請求項１，２の分極による滞留電荷の利用方法
【発明の詳細な説明】
【技術分野】
【０００１】  生活環境の改善と促進に伴う各利便性の促進と改善による長寿社会の促進に関する。
【背景技術】
【０００２】  現下の自然環境や生活環境の悪化は目に余る惨憺たる有様である。即ち、農薬、化学肥料、食品添加物、殺虫剤、化学薬品などに加えて酸性雨、二酸化炭素などによる温暖化、水道水の悪化事情に伴う複合汚染による生活状況は正に体力の限界に及んでいるにも拘わらず現下の技術は全て対症療法的なものである。
【発明の開示】
【発明が解決しようとする課題】
【０００３】  生体や植物（食物）に陰電荷（電子）を中心とする電気エネルギーの刺激と反応で生体の還元的な物質的変性による改善と促進で酸化の抑制と還元作用を目的とした解決手段に加えて既成製品の改善と新規製品化の促進を図る方法を課題とする。
【課題を解決するための手段】
【０００４】概念
生物（人、植物、動物）は、全て生体を持ち寿命を有する生物である。従って、生体は全て環境に左右される生体である。即ち、生体の寿命と環境との関連は同義的に属するとも言われる現下にあって将来寿命を４１才説を主張する学説さえ出現する今日社会である。【０００５】概要
以上の見地から「生体と食物」に分極作用から起因する陰電荷（電子）をチャージして生体や植物の変性的な改善を図る方法。即ち、「生体バランスと食物バランス」の改善と促進を図り、以って「健康と栄養」の復元による還元的な生体バランスの回復を図る課題に加えて、生活改善の利便性を有効的な電気エネルギーで促進改善に資するものである。【０００６】適当電源
乾電池、蓄電池、太陽電池、風力電気、発電機、パルス電気、ＬＥＤ電気、アダプターＡＣ，ＤＣなど。【０００７】用途
生体（人、植物、動物）水、土壌、食品、住宅、建物、自動車、船舶、航空機、オートバイ、スクーター、自転車、車椅子、看護車、ベビーカー、冷蔵庫、食品棚、食品庫、ベット、寝具、座布団、コンテナー、冷凍庫、椅子、ペット敷布、ペット小屋、電車、バス、トラック、健康器具、カイロ、暖房具。【０００８】適用形態
陰電荷の発生による反応（電子）は全ての生体や植物（食品）に有効的である。即ち、酸化還元的変性作用である。従って、生体と電子は血液との反応で生体バランスの改善を促進する効果がある（健康体）。又植物の活性化と食品の酸化還元作用や抑制効果がある。他方の陽電荷は好気性微生物を集中させて増殖させる効果がある。即ち、好気性菌の大半は生体が陰電荷であるから正の走性が働き、好環境が生まれて集中するのである。従って水中や土壌中の環境改善には有効的である。
本発明の主体は、陰電荷による住宅や自動車などの限定空間の改善による生体バランスの改善により、現下の病因の基と言われるストレスの改善を目的とする。即ち、限定空間を「いやしの空間」に改善することが最善の策と考えるからである。然も、従来技術のような莫大な費用を要せず、極めて単純でシンプルな方法で効果が大きい特徴が本発明である。
【発明の効果】
【０００９】  今日の生活環境や食糧環境にあっては、全く安閑と暮らせる情況下でない時代に突入している。即ち、農薬や化学物質などに冒され通しの昨今である。従って、将来寿命を４１才説を唱える学者も登場する時代である。
本発明は、電子の活用により酸化還元作用の促進により食物や食品に含有する農薬や化学物質の放逐や中和作用を図り、以って、食品の安全と改善を目的とする。
他方では、住宅や自動車などの限定空間を電子による好環境を創作して病因と言われるストレスの解消を図り、以って、新しい生活空間の改善により「少子化問題と長寿社会の復元」の一環として、大いに期待される効果がある。
【発明を実施するための最良の形態】
【００１０】  本発明は、電気力により陰電荷と陽電荷を別個に利用する方法、即ち、各特徴を有効的に活用する方法である。例えば、陰電荷（電子）は、酸化還元作用を中心に活用する方法陽電荷は正の走性刺激を活用して微生物の増殖による土壌の改善や水質の改善を中心に改善する方法である
通電可能な炭素繊維や導電布などのシートの両端部に陰、陽の両電極を設けて印加（通電）すると分極作用が起きる。即ち、金属中（電極）の自由電子は、炭素繊維などの中に入るには抵抗があり、炭素繊維中のイオンも金属中（電極）に入るには抵抗があるから、両電極間には通電抵抗が重合する。
従って、両電極間には、電子やイオン等の微粒子が溜まり電気的な二重層が生じる、所謂分極作用が起こるのである。即ち、電気の技術的にはゼロ技術である（通電不能）。
本発明は、この両電極サイドに滞留する電荷と電気的性質を各活用して生まれた創作技術である。
即ち、陰、陽極に滞留する電荷を各リード線で別個な金属体（チャージ体）に誘引印加する待機方法。又は対象目的の既成製品の金属部に印加する待機方法である。
他方の電子とは、原子核を構成する粒子であるが、電子（陰電荷）には「放浪癖とか浮気症」があると言われる特徴粒子である。従って、他の原子に付いたり離れたりする性質が物体の「酸化と還元作用」の原因となっている。この性質と滞留する電子電荷を創作した利用方法が本発明の特徴である。即ち、前記の待機電子は外からの「熱や摩擦、振動」などの刺激を受けると即刻に活発化する習性がある。
即ち、自由電子が活発になり陽子との衝突から熱反応を起こしたり、他の物体にくっつく性質が電荷の移動による電子チャージである。従って、リード線による金属体、及び既成製品に電子電荷を待機させておけば生体との接触、摩擦。振動作用か熱反応に改変するのである。
以上の方法を具体的に図面で説明すると、図１に示す畳と床板との間に金属体を敷いてリード線より通電すると、畳の上に座っても、布団を敷いて寝ても生体と金属体（電子）が反応するから生体は「ポカポカ」の春の日溜りを感じる気持ちになるのである。（電子部屋）
図２に示す自動車のソケット（１２ｖ）を電源に取り、リード線を運転座席、助手座席の裏部金属体に印加すると、即、座ればポカポカ現象が起こり疲労が半減する。（電子自動車）
又陽電荷のリード線をアルミ棒などに接続して、植物体の根際近傍に差込み通電するのみで効果がある。又バケツ（１０リットル）の水中に適宜な肥料や養分を入れて、リード線より金属棒に接続した棒をバケツ内に挿入させて、約１２時間後には金属棒が白くなる程の微生物が集中している。
以上のような住宅を初め交通手段の限定空間（自動車、電車、船舶）を消費するエネルギーの拡大を図り、限定する癒しの空間造りで「生活ストレスの改善と生体バランスの改善」により健康体社会が生まれ、従来の悩み社会から解消されて悩みのない平和な国家が生まれる所以である。
【実施例１】
【００１１】  以下実施例による発明実施の態様を説明するが、例示は単なる説明用のもので発明思想の制限又は限定を意味するものではない。
【実施例２】
【００１２】  金属で構成する椅子に陰電極のリード線（４）を椅子の金属部（座席下部）に印加するのみで座席に座るとポカポカ現象が起きて体調すこぶる良好で疲労感が軽減する。
【実施例３】
【００１３】  図２に示す自動車内のソケット（タバコ用１２ｖ）より電源を取り陰電極リード線（４）より運転席及び助手席の下部（裏）の金属部に各印加するのみで両座席よりポカポカ現象が起きて気分爽快のルンルン気分になりストレスも疲労感も半減する。
【実施例４】
【００１４】  自転車のサドルの裏の金属部に陰電極リード線（４）より印加して自転車に乗るとポカポカ現象が起きるので元気になる健康電子自転車ができる。
【実施例５】
【００１５】  部屋の畳と床板の間に穴明きステンレス板（巾１ｍ×長さ２ｍ）を挿入して陰電極リード線（４）、図３に示す印加をすると、その畳の上に座っても、歩いても、布団を敷いて寝てもポカポカ現象で朝まで熟睡ができて目覚めがスッキリする。電子のチャージ現象が解かる。
【実施例６】
【００１６】  子供のベット下（マット下）に陰電極リード線（４）を図３に示すステンレス板を挿入して印加すると、子供は朝まで熟睡し、夢も知らない程良く寝ることが判った。
【実施例７】
【００１７】  事務所内のスチール机、戸棚、ロッカー、キャビネット等金属用具に陰電極リード線（４）を印加するのみで室内空間がスッキリ環境に改善されて労働能力がアップすると同時にストレスが半減することも判った。
【実施例８】
【００１８】  図４に示す植物体えの印加方法は、陰電極リード線より植物体の個体差により単独又は複数箇所に直接的に印加する方法。
【実施例９】
【００１９】  図５に示す植物えの印加方法は、陽電極リード線より植物の根際近傍の土壌中に支柱に接続して印加する方法で土壌（培地）改善策を取る方法。
【実施例１０】
【００２０】  座布団の中又はカバー内に陰電極リード線（４）より図１に示す金属体（金属板）に接続印加して挿入するのみでポカポカ現象のする電子座布団ができる。
【実施例の説明】
【００２１】  ポカポカ現象とは、生体と電子の反応である。即ち、生体の還元作用である。従って、生体バランスの改善方向に促進されながら恒常的なホメオシタシス化に改善される化学的な反応である。
【図面の簡単な説明】
【００２２】
【図１】  本発明の実施例（電池６ｖを取付けた状態を示す）を示す平面図
【図２】  本発明の実施例（自動車ソケットを取付けた状態を示す）を示す平面図
【図３】  本発明の実施例（ソケット、アダプターを取付けた状態を示す）を示す平面図
【図４】  本発明の実施例（植物体に取り付けた状態）を示す一部拡大斜視図
【図５】  本発明の実施例（支柱を植物体に取付ける場合の状態を示す）一部拡大斜視図
【符号の説明】
【００２３】  １  炭素繊維シート
２  陽電極
３  陰電極
４  リード線
５  電池（６ｖ）
６  金属体（ステンレス板など）
７  カシメ部
８  リード線取付部
９  自動車ソケット
１０  ソケット
１１  アダプター（１６ｖ）
１２  支柱
１３  植物体
１４  土壌
【図１】
2006068467.tif 000003
【図２】
2006068467.tif 000004
【図３】
2006068467.tif 000005
【図４】
2006068467.tif 000006
【図５】
2006068467.tif 000007